(57)【要約】【課題】塵芥収集車自体に防臭や防錆などの各種機能を持たせることで、洗車作業の負担軽減の他、車輌の耐久性の向上や収集能力の向上などを図ることができる塵芥収集車を提供する。【解決手段】車体上に搭載された塵芥収容箱１の後部に、塵芥が投入される塵芥投入箱２が設けられ、塵芥投入箱２に設けられた塵芥積込装置４によって、塵芥投入箱２内に投入された塵芥を塵芥収容箱１内に積み込むようになされた塵芥収集車において、塵芥を積み込む際に当該塵芥が接触する内面部位１ａ、１ｂ、１ｃ、５ｂ、６ｂ、８ａには、酸化チタンと酸化タングステンとからなる被覆加工が施されるとともに、塵芥の積み込みに起因して汚れ易い外面部位には可視光応答型酸化チタンからなる被覆加工が施されている。前記可視光応答型酸化チタンにアパタイトを一体化したものにより被覆加工が施されている。【選択図】　図１
2004137029.tif 000002
【特許請求の範囲】
【請求項１】
車体上に搭載された塵芥収容箱の後部に、塵芥が投入される塵芥投入箱が設けられ、該塵芥投入箱に設けられた塵芥積込装置によって、塵芥投入箱内に投入された塵芥を塵芥収容箱内に積み込むようになされた塵芥収集車において、
前記塵芥を積み込む際に当該塵芥が接触する内面部位には、酸化チタンと酸化タングステンとからなる被覆加工が施されるとともに、塵芥の積み込みに起因して汚れ易い外面部位には可視光応答型酸化チタンからなる被覆加工が施されたことを特徴とする塵芥収集車。
【請求項２】
前記可視光応答型酸化チタンにアパタイトを一体化したものにより被覆加工が施されてなることを特徴とする請求項１記載の塵芥収集車。
【発明の詳細な説明】
【０００１】
【発明の属する技術分野】
本発明は、塵芥収集車に関するものである。
【０００２】
【従来の技術】
従来、車体上に搭載された塵芥収容箱の後部に、塵芥が投入される塵芥投入箱が設けられており、この塵芥投入箱に設けられた塵芥積込み装置によって、塵芥投入箱内に投入された塵芥を塵芥収容箱内に積み込むようになされた塵芥収集車が提供されている。
【０００３】
上記塵芥積込装置は、例えば塵芥投入箱の底部に基端を中心として回転自在に設けられた回転板と、該回転板の上部に前後に揺動自在に設けられた押込板とで構成され、回転板の回転動作と押込板の揺動動作との協動によって塵芥投入箱の投入口から投入された塵芥を圧縮して塵芥収容箱内に積み込んでいる（例えば、特許文献１参照。）。
【０００４】
そして、上述のようにして積み込んだ塵芥を処理場に運搬して排出し、当該処理場において塵芥を処理している。
【０００５】
【特許文献１】
特開平９−２７８１１４号公報
【０００６】
【発明が解決しようとする課題】
ところで、このように構成された塵芥収集車においては、塵芥を排出して空の状態であっても塵芥の付着等により当該塵芥の臭気が漂う。このため保管場所などで塵芥収集車を駐車すると塵芥の臭気が周囲に漂い、周辺環境に悪影響を及ぼして問題となることがある。特に都市部においては重大な問題になる。
【０００７】
従って、塵芥収集作業の終了後には、洗車を十分に行うとともに、必要に応じては消臭剤を用いることによって、臭気をとる作業が必要不可欠であった。このような収集作業後の洗車は、作業員にとって負担が大きく過酷であるとともに、全体のコストを引き上げる大きな要因になっていた。
【０００８】
本発明は、上記問題点に鑑みてなされたもので、その目的とするところは、塵芥収集車自体に防臭や防錆などの各種機能を持たせることで、洗車作業の負担軽減の他、車輌の耐久性の向上や収集能力の向上などを図ることができる塵芥収集車を提供することにある。
【０００９】
【課題を解決するための手段】
請求項１に係る発明の塵芥収集車は、車体上に搭載された塵芥収容箱の後部に、塵芥が投入される塵芥投入箱が設けられ、該塵芥投入箱に設けられた塵芥積込装置によって、塵芥投入箱内に投入された塵芥を塵芥収容箱内に積み込むようになされた塵芥収集車において、前記塵芥を積み込む際に当該塵芥が接触する内面部位には、酸化チタンと酸化タングステンとからなる被覆加工が施されるとともに、塵芥の積み込みに起因して汚れ易い外面部位には可視光応答型酸化チタンからなる被覆加工が施されたものである。
【００１０】
請求項２に係る発明の塵芥収集車は、前記可視光応答型酸化チタンにアパタイトを一体化したものにより被覆加工が施されてなるものである。
【００１１】
【発明の実施の形態】
以下、本発明の実施の形態を図面を参照して説明する。
【００１２】
図１は、本発明に係る塵芥収集車を示している。
【００１３】
図１において、１は車枠上に搭載された塵芥収容箱で、該塵芥収容箱１の後方開口部には前面を開放した塵芥投入箱２が枢軸３を以て傾動自在に連設されている。
【００１４】
前記塵芥投入箱２内には塵芥積込装置４が装備されている。塵芥積込装置４は、塵芥投入箱２の底部に図示しない駆動装置により基端５ａを中心にして回転自在に設けられた回転板５と、該回転板５の上方に揺動シリンダ６１により上部６ａを中心にして揺動自在に設けられた押込板６とで構成されている。
【００１５】
このように構成された塵芥積込装置４は、回転板５の回転動作に応じて押込板６を揺動させることで、塵芥投入箱２の投入口２１から投入された塵芥を回転板５で押しつぶして圧縮した後、押込板６によって塵芥収容箱１に積み込むようにしている。
【００１６】
また、塵芥投入箱２の底部には、汚水タンク７が連結されており、前記塵芥積込装置４により塵芥を塵芥収容箱１に積み込む際に塵芥から出た汚水を貯留するようにしている。この汚水タンク７の側面部には排出扉（図示省略）が設けられており、この排出扉を開放して汚水タンク７内に貯留した汚水を外部に排出するようにしている。
【００１７】
さらに、前記塵芥収容箱１内には、排出板８が図示しない伸縮シリンダにより前後方向にスライド自在に設けられている。この排出板８は、塵芥を収容する初期の段階では後部に配置されている。そして、前記塵芥積込装置４による塵芥の積み込みにより排出板８に作用する前方への押圧力が所定圧以上になると徐々に前方にスライドして移動するようになされている。これにより塵芥は圧縮された状態で塵芥収容箱１内に収容される。
【００１８】
一方、塵芥を排出する際には、まず、塵芥投入箱２を上方に傾動させて塵芥収容箱１の後部を開口させる。この後、上述した塵芥の収容により前部に配置された排出板８を後方に移動させることにより、塵芥収容箱１内の塵芥をこの排出板８の押出作用によって後部開口から排出するようにしている。
【００１９】
ところで、上述したように塵芥を収容して排出する塵芥収集車において、各部位には以下のような被覆加工が施されている。
【００２０】
まず、塵芥を積み込む際に当該塵芥が接触する内面部分には酸化チタンと酸化タングステンとからなる被覆加工が施されている。
【００２１】
上記塵芥が接触する内面部分とは、具体的には以下の箇所である。塵芥投入箱２内においては投入口２１から底部にかけての底面及び側面、塵芥積込装置４においては、回転板５の塵芥接触面５ｂ、並びに押込板６の塵芥押込面６ｂ、塵芥収容箱１内においては底面１ａ、側面１ｂ及び上面１ｃの内面全体、排出板８では後側排出面８ａである。
【００２２】
そして、これらの各部位は鋼板からなり、この鋼板に酸化チタンと酸化タングステンとからなる層をコーティングすることにより以下のような効果を得ることができる。
【００２３】
酸化チタンと酸化タングステンは、周知のとおり光触媒であり、超親水性の他、防錆、防汚、防臭及び除菌効果を発揮する。
【００２４】
具体的には、超親水性作用により、水分を含む生ごみなどの塵芥を積み込む場合に、塵芥と前述した塵芥接触面との摩擦抵抗を減少させることができる。これにより、塵芥を塵芥収容箱１内に円滑に収容できて積込時間の短縮を図ることができるとともに、収容能力も向上する。また、塵芥の排出も円滑に行われ排出作業を効率よく行うことができる。
【００２５】
また、防錆効果は、酸化チタンと酸化タングステンとの電子が鋼板に移動して、鋼板が負に帯電することによって錆にくくなるものであるが、光が当たる状態では酸化チタンがこの機能を発揮し、光が当たらない状態では酸化タングステンがこの機能を発揮する。つまり、上記防錆効果を常時発揮できるので高い耐久性を確保することができる。
【００２６】
さらに、防汚、防臭及び除菌効果があることから、洗浄により汚れが簡単に落とせることにより洗浄時間の短縮を図れて作業負担が軽減できるとともに、これと相まって防臭作用により臭気が周囲に漂うのを防止でき周辺環境を害することも無く、除菌作用により衛生面でもよい。
【００２７】
また、磨耗によりコーティングが半分くらいになっても上述した各機能を発揮することができるので、前述したような塵芥が接触する箇所に適用するのが最適である。
【００２８】
一方、塵芥の積み込みに起因して汚れ易い外面部分には、可視光応答型酸化チタンからなる被覆加工が施されている。
【００２９】
塵芥の積み込みに起因して汚れ易い外面部分とは、塵芥投入箱２の投入口２１周辺部分外面や、塵芥排出時に塵芥が落下する外面部分などである。
【００３０】
そして、これらの各部位に可視光応答型酸化チタンからなる層をコーティングすることにより以下のような効果を得ることができる。
【００３１】
可視光応答型酸化チタンは、周知のとおり紫外線のみに限らず可視光線によっても反応する光触媒である。つまり、太陽光線に含まれている５％の紫外線と、４５％の可視光線とにより光触媒反応を起こすことができる。
【００３２】
このように太陽光線の中で多くの割合を占めている可視光線にも反応するので、前述した光触媒による効果を十二分に発揮でき、特に外面部分の高い洗浄効果が期待できる。
【００３３】
また、塵芥収集車においては、走行中に排気ガスに含まれるＳＯｘ、ＮＯｘなどが付着し易いので、上記の部分だけに限らず、塵芥投入箱２や塵芥収容箱１などの外面全体を可視光応答型酸化チタンにより被覆加工してもよい。これによりさらに高い洗浄効果が期待でき、洗浄作業を容易に行うことができる。
【００３４】
さらに、可視光応答型酸化チタンとアパタイト（リン酸カルシウム）とを一体にしたものを被覆加工することで、以下のような効果を得ることができる。
【００３５】
アパタイトは、その防護作用でアクリル、メラミン、フッ素樹脂等の有機性塗膜、繊維等を光触媒作用で破壊させない効果がある。このため、塗装している前述したような外面に被覆加工するのに最適である。また、アパタイト自身が親水性であるので親水性がさらによくなり、高い洗浄効果などがさらに期待できる。
【００３６】
このように塵芥収集車において、各部位での役目に応じてそれに適した被覆加工を施すことで、塵芥収集作業、洗車作業などを効率よく行え、全体の作業負担を軽減できるとともに、臭気による保管場所などでの周辺への環境悪化を防止でき、さらに車輌自体の耐久性の向上をも図ることができる。
【００３７】
なお、本実施の形態では、回転板５と押込板６とで塵芥積込装置４を構成したものについて述べたが、塵芥積込装置４の構成はこれだけに限らず、例えば特開平１０−９５５０４号公報に見られるような一枚のプレートによる積込動作により塵芥を積み込むような塵芥積込装置であってもよい。
【００３８】
また、排出板８により塵芥を排出するものに限らず、塵芥収容箱１を後部を中心に上方に傾動させることで、塵芥を排出するタイプのものであってもよい。この場合、前述した超親水性作用により塵芥の排出を円滑に行うことができるため、塵芥収容箱１の傾動が従来よりも小さい角度でも塵芥を排出することができ、効率よく、しかも安全に排出作業を行うことができる。
【００３９】
【発明の効果】
以上述べたように、本発明の塵芥収集車によれば、塵芥を積み込む際に当該塵芥が接触する内面部位に、酸化チタンと酸化タングステンとからなる被覆加工を施すとともに、塵芥の積み込みに起因して汚れ易い外面部位に可視光応答型酸化チタンからなる被覆加工を施すことで、これら光触媒の持つ各種機能により作業効率の向上による作業負担を軽減できるとともに、臭気による保管場所などでの周辺への環境悪化を防止でき、さらに車輌自体の耐久性の向上をも図ることができる。
【図面の簡単な説明】
【図１】本発明の塵芥収集車の概略構成を示す側面図である。
【符号の説明】
１　塵芥収容箱
２　塵芥投入箱
４　塵芥積込装置
【図１】
2004137029.tif 000003